(57)【要約】【課題】処理物燃焼室を二重化して長さを短くすることにより、熱伝導率がよくなり燃焼効率を良くして処理時間を短縮し、処理対象物の減容、減量化が図られるとともに、装置の長さ従来の半分程度になるため設置場所が小さくなり製作費も少なくて済む連続式燃焼浄化装置を提供することを目的とする。【解決手段】処理対象物が投入される投入フィーダ１を設ける。この投入フィーダ１に連通され第１の処理物燃焼室４が形成された内筒３を設ける。内筒３の外側に所定の間隔を有して外筒５を設ける。外筒３と内筒５との間に前記第１の処理物燃焼室に連通され、且つ、第１の処理物燃焼室４に重なるように第２の処理物燃焼室６を設ける。第１の処理物燃焼室４および第２の処理物燃焼室６に燃焼用の熱を供給するバーナ１０を設ける。第２の処理物燃焼室６の後段に浄化物排出口９を設ける。【選択図】          図１
2004184056.tif 000002
【特許請求の範囲】
【請求項１】
処理対象物が投入される投入フィーダと、この投入フィーダに連通され第１の処理物燃焼室が形成された内筒と、この内筒の外側に所定の間隔を有して設けられた外筒と、この外筒と前記内筒との間に前記第１の処理物燃焼室に連通され、且つ、第１の処理物燃焼室に重なるように形成された第２の処理物燃焼室と、前記第１の処理物燃焼室および第２の処理物燃焼室に燃焼用の熱を均等に供給するバーナと、前記第２の処理物燃焼室の後段に浄化物排出口とを設けたことを特徴とする連続式燃焼浄化装置。
【請求項２】
第１の処理物燃焼室または第２の処理物燃焼室の一部に設けられた排ガス排出口と、この排ガス排出口から排出された排ガスを二次燃焼させる排ガス燃焼室と、、この排ガス燃焼室の後段に設けられた熱交換機と、この熱交換機により熱交換された廃熱を利用する廃熱利用機器とを設けたこと特徴とする請求項１記載の連続式燃焼浄化装置。
【発明の詳細な説明】
【０００１】
本発明は、汚泥、食品残渣、農業用残渣などの処理対象物を燃焼させて処理する連続式燃焼浄化装置に関する。
【０００２】
【従来技術】
従来、連続式燃焼浄化装置は図２に示されるように、処理対象物の燃焼処理時間を長くして浄化をより促進させるために筒体ａを長く形成し、この長く形成した筒体ａの内部に処理物燃焼室ｂを形成し、この処理物燃焼室ｂの投入口ｃから汚泥、食品残渣、農業用残渣などの処理対象物を投入し、処理物燃焼室ｂの一端側に設けられたガスバーナｄにより燃焼熱を供給し、この燃焼熱により汚泥、食品残渣、農業用残渣などの処理対象物を燃焼させて乾燥・固形化された浄化物として処理し、排出口ｅから排出させる一方通行方式の連続式燃焼浄化装置が一般的であった。
【０００３】
【発明が解決しようとする課題】
しかし、一方通行方式の連続式燃焼浄化装置は、長さが長くなる程、先に行くにしたがい熱伝導率が悪くなり燃焼効率が悪く処理対象物の減溶、減量化が図れないのが現状であり、使用もごく限られた対象物例えば砂の乾燥や食品残渣などの乾燥固形化程度にしか使用されないのが実情である。また、処理物燃焼室の長さが長いため、連続式燃焼浄化装置の処理時間が長くなるとともに、設置場所を多く必要としたり製作費が高くなる等の問題点がある。
【０００４】
本発明は、このような点に鑑みなされたもので、処理物燃焼室を二重化して長さを短くすることにより、熱伝導率がよくなり燃焼効率を良くして処理時間を短縮し、処理対象物の減容、減量化が図られるとともに、装置の長さ従来の半分程度になるため設置場所が小さくなり製作費も少なくて済む連続式燃焼浄化装置を提供することを目的とする。
【０００５】
【課題を解決するための手段】
請求項１記載の連続式燃焼浄化装置は、処理対象物が投入される投入フィーダと、この投入フィーダに連通され第１の処理物燃焼室が形成された内筒と、この内筒の外側に所定の間隔を有して設けられた外筒と、この外筒と前記内筒との間に前記第１の処理物燃焼室に連通され、且つ、第１の処理物燃焼室に重なるように形成された第２の処理物燃焼室と、前記第１の処理物燃焼室および第２の処理物燃焼室に燃焼用の熱を供給するバーナと、前記第２の処理物燃焼室の後段に浄化物排出口を設けたものである。
【０００６】
そして、この構成によれば、熱伝導率がよくなり燃焼効率を良くして処理時間を短縮し、処理対象物の減容、減量化が図られるとともに、装置の長さを従来の半分程度にできるため設置場所が小さくなり製作費も少なくて済む。
【０００７】
請求項２記載の連続式燃焼浄化装置は、第１の処理物燃焼室または第２の処理物燃焼室の一部に設けられた排ガス排出口と、この排ガス排出口から排出された排ガスを二次燃焼させる排ガス燃焼室と、、この排ガス燃焼室の後段に設けられた熱交換機と、この熱交換機により熱交換された廃熱を利用する廃熱利用機器とを設けたものである。
【０００８】
そして、この構成によれば、ダイオキシンをなくして大気汚染を防止できるとともに、廃熱を温水利用機器などに利用できる。
【０００９】
【発明の実施の形態】
以下、本発明の一実施の形態を図面を参照して説明する。
【００１０】
【実施例】
図１において、１は投入フィーダで、この投入フィーダ１に汚泥、食品残渣、農業用残渣、畜産糞、木片、その他の有機物等の処理対象物が直接または、脱水処理、乾燥処理された状態で投入される。また、投入フィーダ１内にはスクリュー等から成る第１の搬送手段２が設けられている。３は内筒で、この内筒３内には図示しない搬送手段を有した第１の処理物燃焼室４が設けられている。５は外筒で内筒３の外側に設けられ内筒３との間に第２の処理物燃焼室６が第１の処理物燃焼室４と二重になるように配置されている。そして、この第２の処理物燃焼室６は内筒３の一端側で第１の処理物燃焼室４に迂回される形で連通されている。
【００１１】
７は浄化物排出装置で、この浄化物排出装置７はスクリュー等から成る第２の搬送手段８と、浄化物を排出する浄化物排出口９が設けられ第２の処理物燃焼室６に連通するように設けられている。１０はバーナで、このバーナ１０は内筒３の一端側に設けられ第１の処理物燃焼室４と第２の処理物燃焼室６に燃焼熱を均等に供給するようになっている。１１は排ガス排出装置で、この排ガス排出装置１１は投入フィーダ１側に設けられ排ガス排出口１２が設けられている。
【００１２】
１３はバーナから成る排ガス燃焼室で、この排ガス燃焼室１３は排ガス排出口１２に連通して設けられ、この排ガス燃焼室１３で二次燃焼された燃焼熱を熱交換機１４に送り温水利用機器等の廃熱利用機器１５に利用される。１６は集塵装置で、この集塵装置１６は熱交換機１４の後段に接続されている。１７は誘引ファンで、この誘引ファン１７は排ガス燃焼室１３で二次燃焼した後の塵埃を誘引し大気に放出するようになっている。
【００１３】
次に、本実施の形態の作用を説明する。
【００１４】
先ず、汚泥、食品残渣、農業用残渣、畜産糞、木片、その他の有機物等の処理対象物が直接または、脱水処理、乾燥処理された状態で投入フィーダ１に連続的に投入される。次に、投入フィーダ１に投入された処理対象物がスクリュー等から成る第１の搬送手段２により第１の処理物燃焼室４内に送られる。一方、バーナ１０が点火され第１の処理物燃焼室４内および第２の処理物燃焼室６が二重構造になっているため燃焼熱が同時に均等に供給される。そして、第１の処理物燃焼室４内の処理対象物が燃焼され序々に固形化されて減溶、減量化されていく。そして、序々に固形化された処理対象物が図示しない搬送装置により第２の処理物燃焼室６に送られ、ここで、さらに熱伝導、燃焼効率良く短時間で燃焼されて固形化が促進される。そして、固形化された処理対象物は浄化物排出装置７の浄化物排出口９から装置外に排出される。
【００１５】
そして、排出された処理対象物の処理に際しては熱伝導、燃焼効率がよいため、短時間で減容化、減量化され、処分費が低減されるとともに最終処分地延命が図られる。また、第１の処理物燃焼室４と第２の処理物燃焼室６が二重構造になっているため装置が従来の半分程度になり経済効果も向上する。また、排出された処理対象物は土壌改良材、融雪材、水分調整剤、脱水助剤等になって有価物となってリサイクルされる。
【００１６】
また、この処理対象物の燃焼によって発生した排ガスは、排ガス排出装置１１の排ガス排出口１２より排出され、排ガス燃焼室１３に送られて二次燃焼され、この二次燃焼により得られた廃熱を熱交換機１４に供給し、温水利用機器等の廃熱利用機器に利用される。さらに、排ガスを二次燃焼させることによりダイオキシンをなくすことができ大気汚染することがなくなる。また、誘引ファン１７は排ガス燃焼室１３で二次燃焼した後の塵埃を誘引し大気に放出される。
【００１７】
【発明の効果】
請求項１記載の連続式燃焼浄化装置によれば、熱伝導率がよくなり燃焼効率を良くして処理時間を短縮し、処理対象物の減容、減量化が図られるとともに、装置の長さを従来の半分程度にできるため設置場所が小さくなり製作費も少なくて済む。
【００１８】
請求項２記載の連続式燃焼浄化装置によれダイオキシンをなくして大気汚染を防止できるとともに、廃熱を温水利用機器などに利用できる。
【００１９】
【図面の簡単な説明】
【図１】本発明の一実施形態を示す連続式燃焼浄化装置の構成図である。
【図２】従来の実施形態を示す連続式燃焼浄化装置の構成図である
【符号の説明】
１    投入フィーダ
２    第１の搬送手段
３    内筒
４    第１の処理物燃焼室
５    外筒
６    第２の処理物燃焼室
７    浄化物排出装置
８    第２の搬送手段
９    浄化物排出口
１０    バーナ
１２    排ガス排出口
１３    排ガス燃焼室
１４    熱交換機
１５    廃熱利用機器
１６    集塵装置
１７    吸引ファン
【図１】
2004184056.tif 000003
【図２】
2004184056.tif 000004